(57)【要約】【課題】車両を移動させるコンベアの安全性と搬送の安定性を高くした洗車装置を提供する。【解決手段】洗車空間内で車両を移動させるコンベア２を備えた洗車装置であって、上記コンベア２は、コンベアベルト７と、上記コンベアベルト７の両側に全周に渡って取り付けられたローラーチェーン１３と、上記コンベアベルト７の前後両端の駆動軸１４および従動軸１５の両側に取り付けられて上記ローラーチェーン１３に噛合うスプロケット１６と、上記駆動軸１４と従動軸１５の間においてコンベアベルト７の載置面を下側から支えるローラーコンベア１７とを備えて構成されている。【選択図】図１
2007210483.tif 000002
【特許請求の範囲】
【請求項１】
洗車空間内で車両を移動させるコンベアを備えた洗車装置であって、
上記コンベアは、コンベアベルトと、上記コンベアベルトの両側に全周に渡って取り付けられたチェーンと、上記コンベアベルトの前後両端の駆動軸および従動軸の両側に取り付けられて上記チェーンに噛合うスプロケットと、上記駆動軸と従動軸の間においてコンベアベルトの載置面を下側から支えるローラコンベアとを備えて構成されていることを特徴とする洗車機。
【請求項２】
上記コンベアは、左右または前後の車輪を載置する第１のコンベアと第２のコンベアが対になって構成され、第１のコンベアの駆動軸と第２のコンベアの駆動軸がシャフトで連結されている請求項１記載の洗車機。
【請求項３】
上記駆動軸および従動軸の２つのスプロケットの間には、上記スプロケットと同心状に配置されコンベアベルトの内側に密着しながらスプロケットと一緒に回転するロールが配置されている請求項１または２記載の洗車機。
【発明の詳細な説明】
【技術分野】
【０００１】
本発明は、洗車空間内で車両を移動させるコンベアを備えた洗車装置に関するものである。
【背景技術】
【０００２】
一般に、洗車装置としては、門型の洗車機本体が設置され、上記洗車機本体内の洗車空間に車両を搬入するとともに、洗車空間内で車両を移動させ、洗車空間から車両を搬出させるためのローラコンベアを備えたものが主流である。
【特許文献１】特開平７−３２９８５号公報
【発明の開示】
【発明が解決しようとする課題】
【０００３】
しかしながら、上記のようなローラコンベアを備えた洗車装置では、ローラ同士の間に隙間があるローラコンベアが地面に設置されているため、ローラ同士の隙間に子供の足が挟まったり、女性のヒールが入り込んだりして怪我の原因となりやすく、安全面で問題があった。特に洗車装置では洗浄液の噴射が不可欠なので、ローラが洗浄液で濡れて滑りやすくなり、作業の安全面にも問題がある。しかも、ローラが洗浄液で濡れてスリップすると、安定した車両の搬送が行い難いという問題もあった。
【０００４】
また、ベルトコンベアで搬送することも考えられるが、洗浄液で駆動ロールが濡れると、駆動ロールとコンベアベルトの間がスリップして安定した搬送ができないという問題がある。駆動ロールとコンベアベルト間のスリップを防止するためには、駆動ロールの直径を大きくする必要があり、深いピットが必要で工費が嵩む問題があった。ベルトコンベアでは、重量のある車両がコンベアベルトに載った場合に、コンベアベルトの移動がスムーズにいかずに搬送の安定性が低下する問題もあった。
【０００５】
本発明は、このような問題を解決するためになされたものであり、車両を移動させるコンベアの安全性と搬送の安定性を高くした洗車装置を提供することを目的とする。
【課題を解決するための手段】
【０００６】
上記目的を達成するため、本発明の洗車装置は、洗車空間内で車両を移動させるコンベアを備えた洗車装置であって、上記コンベアは、コンベアベルトと、上記コンベアベルトの両側に全周に渡って取り付けられたチェーンと、上記コンベアベルトの前後両端の駆動軸および従動軸の両側に取り付けられて上記チェーンに噛合うスプロケットと、上記駆動軸と従動軸の間においてコンベアベルトの載置面を下側から支えるローラコンベアとを備えて構成されていることを要旨とする。
【発明の効果】
【０００７】
このため、コンベアベルトに対し、チェーンとスプロケットの噛合いによって動力伝達されることから、洗浄液で濡れてもコンベアベルトのスリップが皆無となる。このため、小径の駆動ロールを使用することが可能で、ピットも不要となり、設置工事が大幅に簡略化する。しかも、駆動軸と従動軸の間においてコンベアベルトの載置面をローラコンベアが下側から支えているため、コンベアベルト上に重量のある車両が載ったとしても、コンベアベルトの移動が極めてスムーズで、搬送の安定性が極めて高い。
【０００８】
しかも、コンベアベルトで車両を移動させるため、従来のようにローラコンベアが剥き出しにならず、ローラ同士の隙間に足やヒールが挟まることがなく、安全面で格段に向上する。また、コンベアベルトは洗浄液で濡れてもローラに比べて滑り難いため、作業の安全性も向上するうえ、車両搬送の安定性も向上する。
【０００９】
本発明の洗浄装置において、上記コンベアは、左右または前後の車輪を載置する第１のコンベアと第２のコンベアが対になって構成され、第１のコンベアの駆動軸と第２のコンベアの駆動軸がシャフトで連結されている場合には、コンベアが幅の狭い第１のコンベアと第２のコンベアで構成されるため、コスト面のメリットが大きい。また、駆動軸が連結していることから駆動手段が１つですみ、コスト面のメリットがあるほか、第１のコンベアと第２のコンベアの駆動を完全に同期させることができ、搬送の安定性も向上する。
【００１０】
本発明の洗浄装置において、上記駆動軸および従動軸の２つのスプロケットの間には、上記スプロケットと同心状に配置されコンベアベルトの内側に密着しながらスプロケットと一緒に回転する駆動ロールが配置されている場合には、コンベアベルトに対して安定した張力を与えることができ、搬送の安定性が向上する。
【発明を実施するための最良の形態】
【００１１】
つぎに、本発明の洗車装置を実施するための最良の形態を説明する。
【００１２】
図１〜図７は、本発明の洗車装置の一実施例である。図１は洗車装置の全体を示す斜視図、図２（Ａ）は洗車装置に用いるコンベアを示す平面図、図２（Ｂ）はコンベアの側面図、図３はコンベアの拡大平面図、図４はコンベアのＡ−Ａ断面図、図５（Ａ）はコンベアベルトとローラーチェーンの取り付け状態を示す断面図、図５（Ｂ）はコンベアベルトとローラーチェーンの取り付け状態を示す平面図、図６はローラーチェーン付きのコンベアベルトがスプロケットに噛合う状態を示す図、図７（Ａ）は駆動軸を示す斜視図、図７（Ｂ）はコンベアの要部を示す斜視図である。
【００１３】
図１に示すように、この洗車装置は、正面視で全体に門型を呈した洗車機本体１と、上記洗車機本体１内部の洗車空間において車両を搬送するためのコンベア２とを備えて構成されている。
【００１４】
上記洗車機本体１は、内部に、洗浄水を噴射する洗浄水噴射器３、洗剤を噴射する洗剤噴射器４、車両の天井部を洗浄するためのトップブラシ５、車両の側面を洗浄するためのサイドブラシ６等を備え、コンベア２上に載置されて搬送される車両を洗浄するようになっている。
【００１５】
上記コンベア２は、左右にそれぞれ配置された第１のコンベア２Ａと、第２のコンベア２Ｂとが一対になって、４輪車の左右の車輪がそれぞれ載せられ、上記洗車機本体１で車両を洗浄する際に、車両を前方または後方に搬送するようになっている。
【００１６】
図２、図３、図４に示すように、上記第１および第２のコンベア２Ａ，２Ｂは、長手方向に動くコンベアベルト７と、車両を上記コンベアベルト７上に載せる際に車輪を案内する傾斜板８とを備えている。上記傾斜板８の入口部の両側には、それぞれ車輪をガイドするためのガイドロール１０が設けられている。
【００１７】
上記第１のコンベア２Ａと第２のコンベア２Ｂとは、前後端部が連結板１１で連結され、所定の距離を維持するとともに、後述する駆動シャフト１２に対して余分な負荷をかけずに組み付け精度を維持するようになっている。
【００１８】
図５、図６、図７に示すように、上記第１および第２のコンベア２Ａ，２Ｂは、それぞれ、上記コンベアベルト７の両側に全周に渡って取り付けられたローラーチェーン１３と、上記コンベアベルト７の前後両端の駆動軸１４および従動軸１５の両側に取り付けられて上記チェーンに噛合うスプロケット１６と、上記駆動軸１４と従動軸１５の間においてコンベアベルト７の載置面を下側から支えるローラーコンベア１７とを備えて構成されている。
【００１９】
図５に示すように、上記コンベアベルト７は、第１および第２のコンベア２Ａ，２Ｂそれぞれの幅に合わせた幅寸法に設定され、両側に長手方向に沿うよう全周に渡ってローラーチェーン１３が取り付けられている。上記ローラーチェーン１３には、１つおきのピンリンクプレート２０に、横方向に屈曲して張り出した取付板２１が形成されている。上記取付板２１には、さらに取付部材２２がリベット２３で固定され、上記取付部材２２にコンベアベルト７がリベット２４で固定されている。これにより、コンベアベルト７にローラーチェーン１３が取り付けられる。
【００２０】
図７に示すように、上記駆動軸１４および従動軸１５は、コンベアベルト７の幅寸法よりも長い長さ寸法に設定されるとともに、上記コンベアベルト７の両側に取り付けられたローラーチェーン１３に噛合う２つのスプロケット１６が取り付けられている。また、上記駆動軸１４および従動軸１５の２つのスプロケット１６の間には、上記スプロケット１６と同心状に配置されコンベアベルト７の内側に密着しながらスプロケット１６と一緒に回転するロール１９が配置されている。
【００２１】
上記駆動軸１４が第１および第２のコンベア２Ａ，２Ｂの傾斜板８の上側部（すなわち搬送部の後端部）に配置され、従動軸１５がその前端部に配置され、上記駆動軸１４のスプロケット１６と従動軸１５のスプロケット１６とに両側のローラーチェーン１３を噛合わせた状態で、駆動軸１４と従動軸１５の間にコンベアベルト７が掛け渡されている。
【００２２】
噛合った状態のスプロケット１６とローラーチェーン１３は、第１および第２のコンベア２Ａ，２Ｂの両サイドにおいて長手方向に沿って配置されたカバー部材２５によってカバーされ、スプロケット１６やローラーチェーン１３が露出するのを防止し、安全性を確保している。
【００２３】
そして、第１のコンベア２Ａの駆動軸１４と第２のコンベア２Ｂの駆動軸１４が駆動シャフト１２で連結されるとともに、第２のコンベア２Ｂの外側に配置された駆動モータ９により第２のコンベア２Ｂの駆動軸１４が回転駆動を受けるようになっている。
【００２４】
第２のコンベア２Ｂの駆動軸１４が駆動モータ９により回転駆動を受けると、第１のコンベア２Ａおよび第２のコンベア２Ｂの駆動軸１４が回転し、各スプロケット１６が回転する。スプロケット１６の回転によりローラーチェーン１３が駆動を受け、それによりコンベアベルト７が進行方向に向かって動くようになっている。
【００２５】
さらに、上記第１および第２コンベア２Ａ，２Ｂは、駆動軸１４と従動軸１５の間においてコンベアベルト７の載置面を下側から支えるローラーコンベア１７を備えている。上記ローラーコンベア１７は、駆動軸１４および従動軸１５に取り付けられたロール１９よりも少し小径のロールが、コンベアベルト７の進行方向に、所定間隔で平行に並べて配置されている。上記ローラーコンベア１７の各ロールのピッチは、少なくとも、洗浄する車両の車輪の半径よりも小さくなる程度に設定するのが好ましい。ローラーコンベア１７の各ロールのピッチが大きすぎると、車両の重みでローラ間の隙間においてコンベアベルト７が撓んでしまい、スムーズな搬送の障害になるおそれがあるからである。
【００２６】
また、上記第１および第２コンベア２Ａ，２Ｂは、駆動軸１４と従動軸１５の近傍において、コンベアベルト７の載置面と反対側の面からコンベアベルト７を情報に押し上げた状態としてコンベアベルト７の張力を保つテンションローラ１８が配置されている。上記テンションローラ１８は、コンベアベルト７の進行方向で前後移動させて位置調節が可能で、この位置調節によりコンベアベルト７の張力を調節できるようになっている。
【００２７】
具体的には、駆動軸１４側のテンションローラ１８を駆動軸１４に近づけるか、従動軸１５側のテンションローラ１８を従動軸１５に近づけることにより、コンベアベルト７の張力は高くなり、それと反対側に移動させるとコンベアベルト７の張力が低くなる。
【００２８】
上記洗車装置では、まず、車両の左右の車輪をそれぞれ第１のコンベア２Ａおよび第２のコンベア２Ｂに乗るように車輪を傾斜板８からコンベアベルト７上に載せるよう車両を移動させる。そして、駆動モータ９を回転させることにより、第１のコンベア２Ａおよび第２のコンベア２Ｂの駆動軸１４を介して駆動軸１４のスプロケット１６を回転させる。すると、ローラーチェーン１３が駆動を受けてそれに合わせてコンベアベルト７が進行方向に向かって動く。従動軸１５側では、コンベアベルト７すなわちローラーチェーン１３の動きによりスプロケット１６が回転して従動軸１５が回転する。
【００２９】
このようにコンベア２で車両を移動させながら洗車機本体１により車両の洗浄を行うことが行われる。
【００３０】
以上のように、上記洗車装置では、コンベアベルト７に対し、ローラーチェーン１３とスプロケット１６の噛合いによって動力伝達されることから、洗浄液で濡れてもコンベアベルト７のスリップが皆無となる。このため、小径のロール１９を使用することが可能で、ピットも不要となり、設置工事が大幅に簡略化する。しかも、駆動軸１４と従動軸１５の間においてコンベアベルト７の載置面をローラーコンベア１７が下側から支えているため、コンベアベルト７上に重量のある車両が載ったとしても、コンベアベルト７の移動が極めてスムーズで、搬送の安定性が極めて高い。
【００３１】
しかも、コンベアベルト７で車両を移動させるため、従来のようにローラーコンベア１７が剥き出しにならず、ローラ同士の隙間に足やヒールが挟まることがなく、安全面で格段に向上する。また、コンベアベルト７は洗浄液で濡れてもローラに比べて滑り難いため、作業の安全性も向上するうえ、車両搬送の安定性も向上する。
【００３２】
また、上記コンベア２は、左右または前後の車輪を載置する第１のコンベア２Ａと第２のコンベア２Ｂが対になって構成され、第１のコンベア２Ａの駆動軸１４と第２のコンベア２Ｂの駆動軸１４が駆動シャフト１２で連結されているため、コンベア２が幅の狭い第１のコンベア２Ａと第２のコンベア２Ｂで構成されるため、コスト面のメリットが大きい。また、駆動軸１４が連結していることから駆動モータ９が１つですみ、コスト面のメリットがあるほか、第１のコンベア２Ａと第２のコンベア２Ｂの駆動を完全に同期させることができ、搬送の安定性も向上する。
【００３３】
また、上記駆動軸１４および従動軸１５の２つのスプロケット１６の間には、上記スプロケット１６と同心状に配置されコンベアベルト７の内側に密着しながらスプロケット１６と一緒に回転するロール１９が配置されている場合には、コンベアベルト７に対して安定した張力を与えることができ、搬送の安定性が向上する。
【００３４】
図８および図９は、本発明の洗車装置の第２の実施形態を示すものである。
【００３５】
この装置では、車両走行路４３の近傍に上記車両走行路４３の走行方向に略沿った状態で洗車領域３８が配置され、上記車両走行路４３の走行方向に略直交する方向に車両走行路４３から洗車領域３８内へ連続した状態で敷設された車両の横移動手段であるコンベア２とを含んで構成されている。
【００３６】
上記洗車領域３８は、コンベア２により車両３２が車両走行路４３に対して入出する部分が開放されている。また、上記横移動手段は、車両の前輪が載置される第１のコンベア２Ａと、車両の後輪が載置される第２のコンベアとから構成されている。上記第１のコンベア２Ａと第２のコンベア２Ｂから構成されるコンベア２は、傾斜板８がない以外は図１〜図７で説明したものと同様である。なお、路面に浅いピットを設けてコンベアベルト７の載置面が路面と同じ高さになるようにしている。
【００３７】
上記洗車手段は、開放側と反対側に２本立てられた支柱によって、洗車領域の長手方向と略平行な状態で車両の上方の所定高さの位置に配置された縦ガイドレール３９を有する四角枠状の上部支持部材３７が片持ち状に支持されている。そして、上記縦ガイドレール３９に沿って前後移動し、上記洗車領域３８内に移行された車両３２の前面部，上面部，後面部および横側面部に液体を噴射するノズルユニット４７を備えている。
【００３８】
この装置によれば、車両３２の前後輪が車両走行路４３のコンベア２上に停車してからコンベア２が駆動されると、車両は車両走行路４３から洗車領域３８内に移行される。それから洗車装置が動作して洗車が実行され、洗車が終了すると車両は再び車両走行路４３に送り戻される。したがって、車両は車両走行路４３の所定の箇所に停車した後、略車幅方向に移行して洗車領域３８内に導入されるだけであるから、洗車領域３８内に入るために特別にスペースを確保する必要がなく、最小限のスペースで洗車設備を設置することが可能となる。また、コンベア２によって車両が洗車領域３８内に移行されるので、狭い箇所で煩わしい幅寄せ運転等が不要となり、洗車時の運転操作が容易なものとなる。
【００３９】
さらに、洗車領域３８で停車状態になっている車両を洗車するものであるから、洗車装置に要するスペースが最小化される。また、洗車装置は洗車領域３８内に停車している車両に対して洗車機能を果たすものであるから、洗車装置の構造を簡素化することが行ないやすくなる。それ以外は、上記第１の実施形態と同様の作用効果を奏する。
【図面の簡単な説明】
【００４０】
【図１】洗車装置の第１実施形態の全体を示す斜視図である。
【図２】（Ａ）は洗車装置に用いるコンベアを示す平面図、（Ｂ）はコンベアの側面図である。
【図３】コンベアの拡大平面図である。
【図４】コンベアのＡ−Ａ断面図である。
【図５】（Ａ）はコンベアベルトとローラーチェーンの取り付け状態を示す断面図、（Ｂ）はコンベアベルトとローラーチェーンの取り付け状態を示す平面図である。
【図６】ローラーチェーン付きのコンベアベルトがスプロケットに噛合う状態を示す図である。
【図７】（Ａ）は駆動軸を示す斜視図、（Ｂ）はコンベアの要部を示す斜視図である。
【図８】洗車装置の第２実施形態の全体を示す斜視図である。
【図９】上記第２実施形態の平面図である。
【符号の説明】
【００４１】
１      洗車機本体
２      コンベア
２Ａ    第１のコンベア
２Ｂ    第２のコンベア
３      洗浄水噴射器
４      洗剤噴射器
５      トップブラシ
６      サイドブラシ
７      コンベアベルト
８      傾斜板
９      駆動モータ
１０      ガイドロール
１１      連結板
１２      駆動シャフト
１３      ローラーチェーン
１４      駆動軸
１５      従動軸
１６      スプロケット
１７      ローラーコンベア
１８      テンションローラ
１９      ロール
２０      ピンリンクプレート
２１      取付板
２２      取付部材
２３      リベット
２４      リベット
２５      カバー部材
３２      車両
３７      上部支持部材
３８      洗車領域
３９      縦ガイドレール
４３      車両走行路
４７      ノズルユニット
【図１】
2007210483.tif 000003
【図２】
2007210483.tif 000004
【図３】
2007210483.tif 000005
【図４】
2007210483.tif 000006
【図５】
2007210483.tif 000007
【図６】
2007210483.tif 000008
【図７】
2007210483.tif 000009
【図８】
2007210483.tif 000010
【図９】
2007210483.tif 000011